(57)【要約】  蓄電池を制御可能な制御装置は、制御部と、通信部とを備える。制御部は、制御対象である蓄電池の劣化状態に基づいて蓄電池の劣化状態の条件を判定する。通信部は、蓄電池の劣化状態の条件を含む、新たに制御対象とする蓄電池の検索要求を情報処理装置へ送信し、検索要求に基づいて検索された蓄電池の情報を含む検索結果を情報処理装置から受信する。
2019188816.tif 000002
【特許請求の範囲】
【請求項１】
蓄電池を制御可能な制御装置であって、
制御対象である前記蓄電池の劣化状態に基づいて前記蓄電池の前記劣化状態の条件を判定する制御部と、
前記蓄電池の前記劣化状態の前記条件を含む、新たに制御対象とする蓄電池の検索要求を情報処理装置へ送信し、前記検索要求に基づいて検索された蓄電池の情報を含む検索結果を前記情報処理装置から受信する通信部と、
を備える、制御装置。
【請求項２】
請求項１に記載の制御装置であって、
前記制御部は、更に、前記制御対象である前記蓄電池の前記劣化状態を算出する、制御装置。
【請求項３】
請求項１又は２に記載の制御装置であって、
前記検索要求には、更に、前記蓄電池の蓄電容量の条件が含まれる、制御装置。
【請求項４】
請求項１から３のいずれか一項に記載の制御装置であって、
前記通信部は、更に、前記制御対象である前記蓄電池の前記劣化状態の登録要求を情報処理装置へ送信する、制御装置。
【請求項５】
請求項４に記載の制御装置であって、
前記通信部は、更に、前記制御対象である前記蓄電池を指定した取引要求を情報処理装置から受信する、制御装置。
【請求項６】
請求項１から５のいずれか一項に記載の制御装置であって、
前記情報処理装置から受信した情報を報知する報知部を更に備える、制御装置。
【請求項７】
請求項１から５のいずれか一項に記載の制御装置であって、
前記情報処理装置から受信した情報を表示する表示部を更に備える、制御装置。
【請求項８】
蓄電池を制御可能な制御装置と通信可能に接続される情報処理装置であって、
第１の制御装置から、当該第１の制御装置の制御対象である前記蓄電池の劣化状態の登録要求を受信した場合、当該劣化状態を蓄電池の情報を含むデータベースに記憶し、
第２の制御装置から、前記蓄電池の前記劣化状態の条件を含む、新たに制御対象とする蓄電池の検索要求を受信すると、前記検索要求に基づいて前記データベースを検索し、
検索された前記蓄電池の前記情報を含む検索結果を前記第２の制御装置に送信する、
情報処理装置。
【請求項９】
請求項８に記載の情報処理装置であって、
前記第２の制御装置から前記検索結果に含まれる前記蓄電池を指定した取引要求を受信すると、前記蓄電池を制御する前記制御装置に当該取引要求を送信する、
情報処理装置。
【請求項１０】
蓄電池を制御可能な制御装置と、
前記制御装置と通信可能に接続される情報処理装置と、
を備える蓄電池検索システムであって、
前記制御装置は、
制御対象である前記蓄電池の劣化状態に基づいて前記蓄電池の前記劣化状態の条件を判定し、
前記蓄電池の前記劣化状態の前記条件を含む、新たに制御対象とする蓄電池の検索要求を前記情報処理装置へ送信し、
前記情報処理装置は、
前記制御装置から、前記検索要求を受信すると、前記検索要求に基づいて蓄電池の情報を含むデータベースを検索し、
検索された前記蓄電池の前記情報を含む検索結果を前記制御装置に送信する、
蓄電池検索システム。
【発明の詳細な説明】
【関連出願の相互参照】
【０００１】
本出願は、２０１８年３月２６日に日本国に特許出願された特願２０１８−０５８８９０の優先権を主張するものであり、この先の出願の開示全体をここに参照のために取り込む。
【技術分野】
【０００２】
本開示は、制御装置、情報処理装置及び蓄電池検索システムに関する。
【背景技術】
【０００３】
従来、複数の蓄電池を制御する技術が知られている。例えば、特許文献１には、蓄電池の劣化情報を用いて、複数の蓄電池の充放電を制御する制御装置が開示されている。
【先行技術文献】
【特許文献】
【０００４】
【特許文献１】特開２０１８−０２３２８２号公報
【発明の概要】
【０００５】
本開示の一実施形態に係る蓄電池を制御可能な制御装置は、制御部と、通信部とを備える。前記制御部は、制御対象である前記蓄電池の劣化状態に基づいて前記蓄電池の前記劣化状態の条件を判定する。前記通信部は、前記蓄電池の前記劣化状態の前記条件を含む、新たに制御対象とする蓄電池の検索要求を情報処理装置へ送信し、前記検索要求に基づいて検索された蓄電池の情報を含む検索結果を前記情報処理装置から受信する。
【０００６】
本開示の一実施形態に係る情報処理装置は、蓄電池を制御可能な制御装置と通信可能に接続される。前記情報処理装置は、第１の制御装置から、当該第１の制御装置の制御対象である前記蓄電池の劣化状態の登録要求を受信した場合、当該劣化状態を蓄電池の情報を含むデータベースに記憶する。前記情報処理装置は、第２の制御装置から、前記蓄電池の前記劣化状態の条件を含む、新たに制御対象とする蓄電池の検索要求を受信すると、前記検索要求に基づいて前記データベースを検索する。前記情報処理装置は、検索された前記蓄電池の前記情報を含む検索結果を前記第２の制御装置に送信する。
【０００７】
本開示の一実施形態に係る蓄電池検索システムは、蓄電池を制御可能な制御装置と、前記制御装置と通信可能に接続される情報処理装置とを備える。前記制御装置は、制御対象である前記蓄電池の劣化状態に基づいて前記蓄電池の前記劣化状態の条件を判定し、前記蓄電池の前記劣化状態の前記条件を含む、新たに制御対象とする蓄電池の検索要求を前記情報処理装置へ送信する。前記情報処理装置は、前記制御装置から、前記検索要求を受信すると、前記検索要求に基づいて蓄電池の情報を含むデータベースを検索し、検索された前記蓄電池の前記情報を含む検索結果を前記制御装置に送信する。
【図面の簡単な説明】
【０００８】
【図１】本開示の一実施形態に係る蓄電池検索システムのブロック図である。
【図２】本開示の一実施形態に係る情報処理装置が記憶する蓄電池の情報を示す図である。
【図３】本開示の一実施形態に係る制御装置に表示される画面の一例である。
【図４】本開示の一実施形態に係る制御装置に表示される画面の他の例である。
【図５】本開示の一実施形態に係る制御装置に表示される画面の他の例である。
【図６】本開示の一実施形態に係る制御装置に表示される画面の他の例である。
【図７】図１に記載の蓄電池検索システムにおける処理の一例のフローチャートである。
【発明を実施するための形態】
【０００９】
従来、複数の蓄電池を制御可能な制御装置を用いることにより、需要家の用途に応じて蓄電池の増設、撤去、又は交換等を行い、全体的な蓄電容量等を調整可能な構成が一般的に採用されている。しかしながら、新たな蓄電池を設置して制御装置の制御対象に加えた場合に、既に設置されている他の蓄電池との劣化状態又は性能等の違いにより、新たな蓄電池の蓄電容量等の性能が十分に発揮されない場合がある。そのため、既に設置されている他の蓄電池の情報に基づき新たに制御対象とする蓄電池の情報を提供することで、蓄電池を制御する技術の有用性を向上する制御装置及び情報処理装置が求められる。そこで、本開示は、蓄電池を制御する技術の有用性を向上させる制御装置、情報処理装置及び蓄電池検索システムを提供する。
【００１０】
以下、本開示の実施形態について説明する。
【００１１】
以下、図１を参照して、本開示の一実施形態に係る蓄電池検索システム１の概要について説明する。蓄電池検索システム１には、サーバ装置１０と、３つの制御装置２０Ａ、２０Ｂ、及び２０Ｃが含まれる。以下、制御装置２０Ａ、２０Ｂ、及び２０Ｃを特に区別しない場合、単に、制御装置２０と総称する。図１では、簡便のため１つのサーバ装置１０及び３つの制御装置２０を図示しているが、サーバ装置１０及び制御装置２０の数は任意に定められてもよい。
【００１２】
サーバ装置１０は、例えば蓄電池検索サービス提供者により使用されるサーバ等の情報処理装置である。制御装置２０は、例えばＨＥＭＳ（Home Energy Management System）、ＢＥＭＳ（Building Energy Management System）、ＦＥＭＳ（Factory Energy Management System）、及びＣＥＭＳ（Community Energy Management System）等のエネルギーマネジメントシステム（ＥＭＳ）、バッテリーマネジメントシステム（Battery Management System：ＢＭＳ）、パワーコンディショナ、携帯電話、スマートフォン、タブレット端末、ＰＣ（Personal Computer）、リモコン、並びにスマートスピーカ等を含む、蓄電池を制御可能な情報処理装置である。制御装置２０の制御対象は蓄電池に限られない。制御装置２０の制御対象には、例えば電力負荷機器、分散電源、燃料電池、ヒートポンプ式給湯機、スマートメータ、又は電気自動車等が含まれてもよい。制御装置２０は電力管理装置ともよばれる。図１において、制御装置２０Ａは蓄電池３０Ａ及び３０Ｂと制御可能に接続される。また、制御装置２０Ｂは蓄電池３０Ｃ及び３０Ｄと制御可能に接続される。以下、蓄電池３０Ａ、３０Ｂ、３０Ｃ、及び３０Ｄを特に区別しない場合、単に、蓄電池３０と総称する。制御装置２０は、蓄電池３０のユーザに使用される。
【００１３】
蓄電池検索システム１において、サーバ装置１０及び制御装置２０は、ネットワーク４０を介して通信可能に接続される。また、制御装置２０は蓄電池３０と制御可能に接続される。制御装置２０は接続された蓄電池３０の劣化状態を算出する。新たな蓄電池の設置を希望するユーザにより制御装置２０の操作が行われると、制御装置２０は制御対象である蓄電池３０の劣化状態に基づいて蓄電池の劣化状態の条件を判定する。制御装置２０は、蓄電池の劣化状態の条件を含む、新たに制御対象とする蓄電池の検索要求をサーバ装置１０へ送信する。サーバ装置１０は、蓄電池の情報を含むデータベース１４を備える。サーバ装置１０は、制御装置２０から上述した検索要求を受信すると、検索要求に基づいてデータベースを検索する。サーバ装置１０は、検索された蓄電池の情報を含む検索結果を制御装置２０に送信する。制御装置２０は、受領した検索結果を表示する。ユーザは、表示された検索結果に基づき、新たに設置する蓄電池の選定及び購入等を進める。
【００１４】
サーバ装置１０及び制御装置２０は、本開示の蓄電池検索に関する処理を協働して実行する。例えば、サーバ装置１０及び制御装置２０が、一連の処理を分担して実行してもよい。或いは、サーバ装置１０及び制御装置２０のそれぞれが同一の処理を実行してもよい。当該同一の処理について、サーバ装置１０と制御装置２０との間で処理結果が一致する場合、サーバ装置１０及び制御装置２０は、当該処理を完了してもよい。一方、サーバ装置１０と制御装置２０との間で処理結果が一致しない場合、サーバ装置１０及び制御装置２０は、例えばサーバ装置１０の処理結果を正として当該同一の処理を完了してもよく、或いは当該処理の実行前にプロセスを巻き戻してもよい。かかる構成によれば、例えばサーバ装置１０及び制御装置２０の間の通信品質が一時的に低下した場合であっても、直ちに処理が中断される蓋然性が低下する。また、制御装置２０において、例えばパラメータの書き換え等の不正処理が行われた場合であっても、当該不正処理を排除できる蓋然性が向上する。
【００１５】
（サーバ装置の構成）
サーバ装置１０の構成について具体的に説明する。サーバ装置１０は、サーバ制御部１１と、サーバ通信部１２と、サーバ記憶部１３と、データベース１４と、を備える。
【００１６】
サーバ制御部１１は、詳細を後述するように、サーバ装置１０の各機能を実現するための制御及び処理能力を提供する１つ以上のプロセッサを含む。サーバ制御部１１は、制御手順を規定したプログラムを実行するＣＰＵ（Central Processing Unit）等のプロセッサ又は各機能の処理に特化した専用のプロセッサで構成されてもよい。
【００１７】
サーバ通信部１２は、外部装置と無線又は有線によって通信し、情報の送受信を行うインタフェースを備える。サーバ通信部１２は、例えば無線ＬＡＮ（Local Area Network）通信モジュール、有線ＬＡＮ通信モジュール、又はＣＡＮ（Controller Area Network）通信モジュール等を備えてもよい。本実施形態において、サーバ通信部１２は、ネットワーク４０を介して、制御装置２０と通信可能に接続される。これにより、サーバ装置１０は、制御装置２０との情報の送受信を行う。
【００１８】
サーバ記憶部１３は、例えば半導体メモリ、磁気メモリ、又は光メモリ等を備える。サーバ記憶部１３は、例えば主記憶装置又は補助記憶装置として機能してもよい。サーバ記憶部１３は、サーバ制御部１１内に含まれるプロセッサのキャッシュメモリ等であってもよい。また、サーバ記憶部１３は、揮発性の記憶装置であってもよく、不揮発性の記憶装置であってもよい。サーバ記憶部１３は、サーバ装置１０の各機能を実現するための制御及び処理に用いられる情報及びプログラムを記憶する。サーバ記憶部１３に記憶された情報及びプログラムの少なくとも一部が、制御装置２０との間で共有及び同期されてもよい。
【００１９】
データベース１４は、蓄電池の情報を記憶する。データベース１４は、サーバ制御部１１から検索要求を受信すると、データベース１４に記憶された情報の中から、検索要求に含まれる条件に基づき検索を実施する。データベース１４は、検索された情報を検索結果としてサーバ制御部１１に送信する。データベース１４に記憶される蓄電池の情報には、制御装置２０から受信した情報が含まれてもよい。或いは、データベース１４に記憶される蓄電池の情報には、制御装置２０から受信した情報に基づいてサーバ制御部１１が製造メーカのＷｅｂサーバ等の外部装置からインターネット経由で取得した追加の情報が含まれてもよい。以下、データベース１４に記憶される情報の例について説明する。
【００２０】
（蓄電池の情報）
蓄電池の情報は、検索の対象となる蓄電池ごとに作成され得る。本開示において検索の対象となる蓄電池は、電力の充電及び放電に用いられる任意の蓄電池であってよい。蓄電池は、例えば、家庭用蓄電池、電気自動車、ハイブリッド自動車、携帯機器、或いはモバイルバッテリ等、任意の用途に用いられる蓄電池であってよい。また、本実施形態において、蓄電池は、これらの用途のために蓄電池メーカから１つの蓄電池として提供又は販売される単位で検索、記憶、及び管理されるものとして説明するが、これに限られない。例えば、蓄電池は、電力の充放電に用いられる最小単位であるセル単位、或いは複数のセルを接続したモジュール単位で検索、記憶、及び管理されてもよい。
【００２１】
図２を参照して、蓄電池の情報に含まれる情報について説明する。蓄電池の情報は、検索で使用される蓄電池に固有の任意の情報を含んでもよい。例えば、蓄電池の情報は、蓄電池ＩＤ（識別情報：Identifier）、ユーザＩＤ、蓄電池メーカＩＤ、型式、製造番号、初期容量、劣化状態、劣化状態取得日付、蓄電容量、売却可否、及び金額を含む。
【００２２】
蓄電池ＩＤは、蓄電池の情報を一意に識別可能な任意の情報である。以下、蓄電池ＩＤにより一意に識別される蓄電池を単に蓄電池ともいう。
【００２３】
ユーザＩＤは、蓄電池のユーザを一意に識別可能な情報である。以下、ユーザＩＤにより一意に識別されるユーザを単にユーザともいう。ユーザＩＤは、ユーザの指名、住所、電話番号、メールアドレス、或いは蓄電池の取引に用いられるクレジットカード又は銀行口座の情報等の、ユーザに関する情報と紐づけて管理されてもよい。また、ユーザＩＤは、制御装置２０を一意に識別可能な情報と紐づけて管理されてもよい。これにより、サーバ装置１０はユーザＩＤを用いて、そのユーザが蓄電池の制御に使用する制御装置２０を特定することができる。
【００２４】
蓄電池メーカＩＤは、蓄電池を製造或いは販売したメーカを一意に識別可能な情報である。以下、蓄電池メーカＩＤにより一意に識別される蓄電池メーカを単に蓄電池メーカともいう。型式とは、蓄電池メーカにより付与された蓄電池の製品仕様及び電池特性等を特定するための情報である。製造番号は、蓄電池メーカにより付与された蓄電池を一意に識別可能な情報である。これらの情報は、蓄電池の検索における蓄電池の絞り込み、或いは検索後に実施される蓄電池の売買取引等における蓄電池の特定に用いられ得る。
【００２５】
初期容量とは、蓄電池の出荷当初における蓄電可能な容量（ｋＷｈ）を示す情報である。初期容量は、制御装置２０による実測値に基づく容量であってもよく、或いは蓄電池メーカ等により公表されている設計容量（ＤＣ：Design Capacity）であってもよい。本開示においては、初期容量は設計容量を用いるものとする。初期容量は、後述する劣化状態等の情報と併せて、蓄電池のマッチングにおける蓄電池の絞り込みに用いられ得る。
【００２６】
劣化状態とは、蓄電池の劣化の度合いを示す情報である。以下、劣化状態をＳＯＨ（State of Health）ともいう。ＳＯＨは、現在の満充電容量（ＦＣＣ：Full Charge Capacity）の設計容量に対する比（％）として、以下の式１で表されてもよい。
ＳＯＨ（％）＝ＦＣＣ／ＤＣ×１００  （式１）
この場合、ＳＯＨが１００％であるときに蓄電池は劣化していないことを示し、ＳＯＨが低いほど、蓄電池の劣化が進んでいることを示す。ＦＣＣは任意の方法で算出されてもよい。例えば、ＦＣＣは、蓄電池の満充電状態から完全放電状態まで放電したときに測定される放電電力量であってもよい。また、ＦＣＣは、充放電に要する電流及び時間等に基づき推定されてもよい。
【００２７】
劣化状態取得日付とは、蓄電池のＳＯＨが算出された日付を示す情報である。以下、劣化状態取得日付をＳＯＨ取得日ともいう。サーバ制御部１１は、蓄電池の情報に含まれるＳＯＨ取得日から一定期間経過している場合、その蓄電池の情報に含まれる劣化状態よりも更に蓄電池の劣化が進んでいると推定してもよい。サーバ制御部１１は、ＳＯＨ取得日付から一定期間経過している場合、蓄電池のユーザ又はユーザが使用する制御装置２０にＳＯＨの情報の更新要求を行ってもよい。サーバ制御部１１は、ＳＯＨ取得日付から一定期間経過している場合、その蓄電池を検索対象から外してもよい。
【００２８】
蓄電容量とは、蓄電池が現時点で蓄電可能な容量を示す情報である。蓄電容量は、上述した初期容量とＳＯＨを用いて以下の式２のように算出されてもよい。或いは、蓄電容量は、制御装置２０より受信したＦＣＣであってもよい。
蓄電容量（ｋＷｈ）＝初期容量（ｋＷｈ）×ＳＯＨ（％）／１００  （式２）
【００２９】
売却可否とは、蓄電池の売却の可否を示す情報である。売却可否の情報は、例えば、売買取引が開始されていない蓄電池に対して、蓄電池のユーザに売却する意思があるか否かの情報に基づき、登録されてもよい。また、例えば、サーバ制御部１１は、売買取引が進行中の蓄電池、或いは既に売買取引が完了した蓄電池に対して、売却可否に「否」を設定してもよい。サーバ制御部１１は、売却可否に「否」が設定されている場合、その蓄電池の情報を検索対象から外してもよい。
【００３０】
金額とは、蓄電池の取引に関する金額を示す情報である。金額の情報は、例えば、蓄電池のユーザにより設定された売却希望金額を含んでもよい。また、例えば、金額の情報は、蓄電池の購入を希望するユーザにより提示された購入希望金額のうち最も高い値を含んでもよい。更に、売買取引が完了した蓄電池の金額には、実際の売却金額が設定されてもよい。
【００３１】
以下に、サーバ制御部１１によるサーバ装置１０の各機能の制御について説明する。サーバ制御部１１は、制御装置２０から、制御装置２０の制御対象である蓄電池３０の劣化状態の登録要求を受信した場合、当該劣化状態を蓄電池の情報を含むデータベースに記憶してもよい。蓄電池３０の劣化状態の登録要求には、任意の情報が含まれてもよい。蓄電池３０の劣化状態の登録要求には、上述したＳＯＨ（％）が含まれてもよく、或いは蓄電池３０のＦＣＣ、放電電力量、充放電に要する電流及び時間等のＳＯＨを算出するための情報が含まれてもよい。サーバ制御部１１はＳＯＨを算出するための情報を受信した場合、その情報に基づき蓄電池３０のＳＯＨを算出し、劣化状態としてデータベースに格納してもよい。
【００３２】
また、蓄電池３０の劣化状態の登録要求には、上述した蓄電池の情報として例示された情報が含まれてもよい。例えば、蓄電池３０の劣化状態の登録要求には、蓄電池ＩＤが含まれてもよい。サーバ制御部１１は、登録要求に含まれる蓄電池ＩＤを用いて、登録要求の対象である蓄電池３０の情報がデータベースに記憶されているか否かを判定してもよい。サーバ制御部１１は、登録要求の対象である蓄電池３０の情報がデータベースに記憶されていない場合には当該蓄電池３０の情報を新たに作成してもよい。また、サーバ制御部１１は、登録要求の対象である蓄電池３０の情報が既にデータベースに記憶されている場合には当該蓄電池３０の情報を更新してもよい。サーバ制御部１１は、蓄電池３０の情報に含まれるＳＯＨ取得日付等の情報に基づき、ＳＯＨが所定の期間更新されない場合に、当該蓄電池３０を制御対象とする制御装置２０に蓄電池３０の劣化状態の更新要求を送信してもよい。
【００３３】
サーバ制御部１１は、制御装置２０から、蓄電池の劣化状態の条件を含む、新たに制御対象とする蓄電池の検索要求を受信すると、検索要求に基づいてデータベース１４を検索する。サーバ制御部１１は、劣化状態の条件等の検索要求に含まれる情報により検索対象の絞り込みを行ってデータベース１４を検索してもよい。サーバ制御部１１は、検索された蓄電池の情報を含む検索結果を制御装置２０に送信する。
【００３４】
検索要求には、蓄電池の劣化状態以外の条件が含まれてもよい。例えば、検索要求には、蓄電池の劣化状態の条件に加え、上述した蓄電池の情報として例示された情報に関する条件が含まれてもよい。この場合、サーバ制御部１１は、検索要求に含まれる条件の組合せに基づいてデータベース１４を検索してもよい。更に、サーバ制御部１１は、１つの蓄電池で検索要求に含まれる条件を満たす蓄電池を検索してもよく、或いは、複数の蓄電池の組合せにより検索要求に含まれる条件を満たす蓄電池を検索してもよい。例えば検索要求には、蓄電池の蓄電容量の条件が含まれてもよい。かかる場合、サーバ制御部１１は、１つの蓄電池で検索要求の蓄電容量を満たす蓄電池を検索してもよく、或いは複数の蓄電池の蓄電容量の和により検索要求の蓄電容量を満たす蓄電池を検索してもよい。１つの蓄電池ではユーザが指定した蓄電容量の条件を満たす蓄電池がない場合、或いは、１つの蓄電池でユーザが指定した蓄電容量の条件を満たす蓄電池が高価な場合等に、ユーザは複数の蓄電池の組合せによる購入を検討することができる。
【００３５】
サーバ装置１０は、上述した検索結果に基づいたユーザ間の蓄電池の取引に用いられてもよい。サーバ制御部１１は、制御装置２０から検索結果に含まれる蓄電池３０を指定した取引要求を受信すると、蓄電池３０を制御する他の制御装置２０に当該取引要求を送信する。具体的には、サーバ制御部１１は、蓄電池３０を指定した取引要求を受信すると、取引要求に含まれる蓄電池ＩＤ等の情報に基づきデータベース１４を検索してもよい。サーバ制御部１１は、検索された蓄電池の情報に含まれるユーザＩＤを用いて送信対象の制御装置２０を特定して取引要求を送信してもよい。
【００３６】
（制御装置の構成）
制御装置２０の構成について具体的に説明する。図１に示すように、制御装置２０は、制御部２１、通信部２２、記憶部２３、報知部２４、及び入力部２５を備える。
【００３７】
制御部２１は、詳細を後述するように、制御装置２０の各機能を実現するための制御及び処理能力を提供する１つ以上のプロセッサを含む。制御部２１は、制御手順を規定したプログラムを実行するＣＰＵ等のプロセッサ又は各機能の処理に特化した専用のプロセッサで構成されてもよい。
【００３８】
通信部２２は、外部装置と無線又は有線によって通信し、情報の送受信を行うインタフェースを備える。通信部２２は、例えば無線ＬＡＮ通信モジュール、有線ＬＡＮ通信モジュール、又はＣＡＮ通信モジュール等を備えてもよい。本実施形態において、通信部２２は、ネットワーク４０を介して、サーバ装置１０と通信可能に接続される。これにより、制御装置２０は、サーバ装置１０との情報の送受信を行う。また、通信部２２は、蓄電池３０と通信可能に接続される。これにより、制御装置２０は、蓄電池３０との情報の送受信を行う。
【００３９】
記憶部２３は、例えば半導体メモリ、磁気メモリ、又は光メモリ等を備える。記憶部２３は、例えば主記憶装置又は補助記憶装置として機能してもよい。記憶部２３は、制御部２１内に含まれるプロセッサのキャッシュメモリ等であってもよい。また、記憶部２３は、揮発性の記憶装置であってもよく、不揮発性の記憶装置であってもよい。記憶部２３は、制御装置２０の各機能を実現するための制御及び処理に用いられる情報及びプログラムを記憶する。記憶部２３に記憶された情報及びプログラムの少なくとも一部が、サーバ装置１０との間で共有及び同期されてもよい。記憶部２３は、蓄電池の検索処理に用いられる情報及びプログラムを記憶する。記憶部２３は、サーバ装置１０から送信された検索結果又は蓄電池の情報の一部又は全部を記憶してもよい。
【００４０】
報知部２４は、画像、音、振動、及びライトの点灯等により情報を報知する。報知部２４は、例えば表示デバイス、スピーカ、振動子、及びライト等の少なくともいずれか１つを含んでもよい。表示デバイスは、例えば液晶ディスプレイ又は有機ＥＬディスプレイ等とすることができる。報知部２４が表示デバイスである場合、報知部２４は、制御部２１の制御に基づいて、サーバ装置１０から受信した検索結果を表示してもよい。報知部２４がスピーカである場合、報知部２４は、制御部２１の制御に基づいて、サーバ装置１０から受信した検索結果を音声として出力してもよい。
【００４１】
入力部２５は、ユーザからの入力操作を受け付ける。入力部２５は、例えば報知部２４の表示デバイスと一体的に設けられたタッチパネル、キーボード、マウス、カメラ、又はマイク等の入力デバイス等を含んでもよい。入力部２５は、ユーザによって操作されると、そのユーザ操作を電子情報として制御部２１に送信する。報知部２４及び入力部２５の少なくとも一方は、例えば、制御装置２０から物理的に切り離されたリモコン、タブレット、又はパーソナルコンピュータ等に設けられてもよい。
【００４２】
以下に、制御部２１による制御装置２０の各機能の制御について説明する。制御部２１は、蓄電池３０の制御を行う。制御部２１は、通信部２２を介して、蓄電池３０の制御を行うための情報を蓄電池３０と送受信する。蓄電池３０の制御には、蓄電池３０の動作に関する任意の処理が含まれる。蓄電池３０の制御には、例えば蓄電池３０の起動、停止、蓄電、放電、通信、動作計画の管理、又は情報提供等が含まれてもよい。蓄電池３０の制御は、直接的な制御に限られず、ＢＭＳ等の他の制御装置を介した間接的な制御であってもよい。例えば、制御装置２０は、他の制御装置に対して蓄電池３０の制御指示を送信することにより、他の制御装置により間接的に蓄電池３０を制御してもよい。制御部２１は、蓄電池３０の制御に必要な情報を記憶部２３に記憶する。
【００４３】
以下に、制御部２１が、制御対象である蓄電池３０の情報をサーバ装置１０に登録する処理に関する制御について説明する。制御部２１は、制御対象である蓄電池３０の劣化状態を算出する。制御部２１は、例えば蓄電池３０の劣化状態として、上述したＳＯＨ（％）を算出する。制御部２１は、例えば蓄電池３０の現在のＦＣＣ等のＳＯＨの算出に必要な情報を取得してもよい。制御部２１は、制御対象の蓄電池３０に複数の蓄電池３０Ａ及び３０Ｂが含まれる場合、蓄電池３０Ａ及び３０Ｂごとに劣化状態を算出してもよく、蓄電池３０全体としての劣化状態を算出してもよい。
【００４４】
制御部２１は、制御対象である蓄電池３０の劣化状態の登録要求を通信部２２からサーバ装置１０へ送信する。蓄電池３０の劣化状態の登録要求には、上述したＳＯＨ（％）が含まれてもよく、或いは蓄電池３０のＦＣＣ、放電電力量、充放電に要する電流及び時間等のＳＯＨを算出するための情報が含まれてもよい。サーバ装置１０は、登録要求を受信すると当該劣化状態をデータベースに記憶する。制御部２１は、制御対象である蓄電池３０の劣化状態と併せて上述した蓄電池の情報に含まれる任意の情報の登録要求を送信してもよい。また、制御部２１は、自発的に登録要求を送信してもよく、或いは制御装置２０に対するユーザ操作又はサーバ装置１０からの要求に基づいて、登録要求を送信してもよい。例えば、制御装置２０は、新たに制御対象とされた蓄電池３０を検出した場合に、蓄電池３０の蓄電池メーカ、型式、製造番号等の情報と併せて、蓄電池３０の劣化状態の登録要求を通信部２２からサーバ装置１０へ送信してもよい。また、例えば、制御装置２０は、蓄電池３０の売却を希望するユーザのユーザ操作に基づき、蓄電池３０の売却可否、及び金額等の情報と併せて蓄電池３０の劣化状態の登録要求を通信部２２からサーバ装置１０へ送信してもよい。また、例えば、制御部２１は、ＳＯＨ取得日付から所定の期間が経過した等の理由によりサーバ装置１０から蓄電池３０の劣化状態の更新要求を受信した場合に、現在のＳＯＨ及びＳＯＨ取得日付の登録要求をサーバ装置１０に送信してもよい。
【００４５】
以下に、制御部２１が、蓄電池３０の情報をサーバ装置１０から検索する処理に関する制御について説明する。制御部２１は、制御対象である蓄電池３０の劣化状態に基づいて蓄電池の劣化状態の条件を判定する。制御部２１は、制御対象である蓄電池３０のうちの任意の蓄電池の劣化状態に基づいて、蓄電池の劣化状態の条件を判定してもよい。例えば、ユーザが新たに蓄電池を増設する場合には、制御部２１は、全ての蓄電池３０の劣化状態に基づいて蓄電池の劣化状態の条件を判定してもよい。また、ユーザが蓄電池を交換する場合には、制御部２１は、交換対象の蓄電池の劣化状態に基づいて蓄電池の劣化状態の条件を判定してもよい。蓄電池の劣化状態の条件には、少なくとも１つの数値または数値範囲を含まれていてもよい。制御部２１は、例えば制御対象である蓄電池３０に含まれる蓄電池３０Ａ及び３０ＢのＳＯＨの平均値、最小値、又は最大値を蓄電池の劣化状態の条件として設定してもよい。また、制御部２１は、制御対象である蓄電池３０に含まれる蓄電池３０Ａ及び３０ＢのＳＯＨの最小値から最大値等の範囲、或いは蓄電池３０Ａ及び３０ＢのＳＯＨの平均値の上下１０％の範囲等の数値範囲を蓄電池の劣化状態の条件として設定してもよい。
【００４６】
制御部２１は、蓄電池の劣化状態の条件を含む、新たに制御対象とする蓄電池の検索要求を通信部２２からサーバ装置１０へ送信する。検索要求に含まれる情報は、劣化状態の条件に限らない。検索要求には、例えば、蓄電池の蓄電容量の条件が含まれてもよい。また、検索要求には、蓄電池の個数、蓄電池メーカ、型式、又は金額等、新たに制御対象とする蓄電池の絞り込みに用いられる任意の条件が含まれてもよい。更に、制御部２１は、１つの蓄電池で上述した条件を満たすことを希望するか、或いは複数の蓄電池の組合せにより上述した条件を満たしてもよいかを検索要求に含めてもよい。
【００４７】
制御部２１は、通信部２２を介して、検索要求に基づいて検索された蓄電池の情報を含む検索結果をサーバ装置１０から受信する。制御部２１は、サーバ装置１０から受信した情報を報知部２４により報知する。より具体的には、制御部２１は、サーバ装置１０から受信した検索結果を報知部２４により報知する。ユーザは、報知された検索結果に基づき、新たに設置する蓄電池の選定及び購入等を進めることができる。報知部２４は、表示デバイス等の、サーバ装置１０から受信した情報を表示する表示部であってもよい。かかる構成によれば、制御部２１は、サーバ装置１０から受信した情報を表示部により表示する。
【００４８】
制御装置２０は、更に、新たに設置する蓄電池の取引に用いられてもよい。制御装置２０は、他のユーザによる蓄電池３０の取引要求を制御装置２０のユーザに通知してもよい。具体的には、制御部２１は、通信部２２を介して、制御対象である蓄電池３０を指定した取引要求をサーバ装置１０から受信する。制御部２１は、受信した取引要求を報知部２４により報知する。ユーザは、報知された取引要求に基づき、蓄電池３０の取引を進めることができる。
【００４９】
（蓄電池検索システムの動作例）
図２〜６を参照して、本開示の一実施形態に係る蓄電池検索システム１に含まれるサーバ装置１０及び制御装置２０が協働して実行する、蓄電池の検索に関する処理の一例を説明する。制御装置２０は、例えば報知部２４及び入力部２５として、表示デバイス及び表示デバイスと一体的に設けられたタッチパネルを備えてもよい。まず、制御装置２０からサーバ装置１０に対する蓄電池３０に関する情報の登録処理について説明する。例えば、ユーザＩＤがＡであるユーザＡは、制御装置２０Ａを使用して、蓄電池３０Ａ及び３０Ｂを管理している。ユーザＡが蓄電池３０Ａ又は３０Ｂの販売を希望する場合に、ユーザＡは蓄電池検索システムの利用を開始する。ユーザＡは、図３に示すような制御装置２０Ａが提供する管理画面から蓄電池のアイコンを選択する。すると制御装置２０Ａは図４に示すようなメニュー画面を表示する。メニュー画面には、蓄電池の「売却」ボタン、「増設」ボタン、及び「交換」ボタンが表示される。ユーザＡによりメニュー画面の「売却」ボタンが押下されると、図５に示すような蓄電池に関する情報公開の確認画面が表示される。ユーザＡが確認画面の「はい」ボタンを押下し、売却対象の蓄電池の指定及び売却価格等のユーザ操作を行うと、ユーザ操作に基づき制御装置２０Ａは蓄電池３０Ａ及び３０Ｂの劣化状態の登録要求をサーバ装置１０に送信する。蓄電池３０Ａ及び３０Ｂの劣化状態は「はい」ボタンが押下された後に算出されてもよく、或いは予め算出されていた値が用いられてもよい。図２に、サーバ装置１０のデータベース１４に記憶される蓄電池の情報を示す。サーバ装置１０は、制御装置２０Ａから制御対象である蓄電池３０Ａ及び３０Ｂの劣化状態の登録要求を受信すると、それぞれ蓄電池ＩＤ０００１及び０００２の情報としてデータベース１４に記憶する。これにより、蓄電池検索システム１において、蓄電池３０Ａ及び３０Ｂが検索対象とされる。サーバ装置１０は、蓄電池３０Ａ及び３０Ｂの情報に含まれるＳＯＨが所定の期間更新されない場合には、制御装置２０Ａに蓄電池３０Ａ及び３０Ｂの劣化状態の更新要求を送信してもよい。
【００５０】
次に、制御装置２０からの検索要求に基づくサーバ装置１０における蓄電池の検索について説明する。例えば、ユーザＩＤがＢであるユーザＢは、制御装置２０Ｂを使用して、蓄電池３０Ｃ及び３０Ｄを管理している。ユーザＢが蓄電池の増設または交換を希望する場合に、ユーザＢは蓄電池検索システムの利用を開始する。ユーザＢは、図３に示すような制御装置２０Ｂが提供する管理画面から蓄電池のアイコンを選択する。すると制御装置２０Ｂは図４に示すようなメニュー画面を表示する。ユーザＢによりメニュー画面の「増設」ボタンが押下され、増設を希望する蓄電容量の指定等のユーザ操作を行うと、制御装置２０Ｂは制御対象である蓄電池３０Ｃ及び３０Ｄの劣化状態に基づいて蓄電池の劣化状態の条件を判定する。例えば、蓄電池３０Ｃ及び３０Ｄの劣化状態がそれぞれ５０％及び６０％である場合に、制御装置２０Ｂは、２つの蓄電池の劣化状態を用いて劣化状態の条件を５０％以上６０％以下としてもよい。制御装置２０Ｂは、蓄電池の劣化状態の条件を含む、新たに制御対象とする検索要求をサーバ装置１０に送信する。制御装置２０Ｂは、検索要求に蓄電池３０Ｃ及び３０Ｄの蓄電池メーカＩＤ、型式、及び蓄電容量等を含めてもよい。サーバ装置１０は、制御装置２０Ｂから蓄電池の検索要求を受信すると、受信した検索要求に基づいてデータベースを検索する。サーバ装置１０は、検索要求に含まれる劣化状態の条件に加え、蓄電池メーカＩＤ、型式、蓄電容量の条件に基づき、検索対象の絞り込みを行ってもよい。サーバ装置１０は、検索された蓄電池の情報を含む検索結果を制御装置２０Ｂに送信する。制御装置２０Ｂは蓄電池の情報を含む検索結果をサーバ装置１０から受信すると、図６に示すような検索結果に基づく蓄電池のリスト等を画面に表示する。図６の蓄電池のリストには、例えば、項番１のように１つの蓄電池で条件を満たすもの、項番２のように２つの蓄電池の組合せで条件を満たすもの等が含まれてもよい。
【００５１】
最後に、制御装置２０からの取引要求に基づくサーバ装置１０の蓄電池３０の取引処理について説明する。ユーザＢは、図６の検索結果画面において、取引を希望する蓄電池があれば、その蓄電池の「取引開始」ボタンを押下する。例えば、項番１の蓄電池の「取引開始」ボタンが押下されると、制御装置２０Ｂは、検索結果に含まれる蓄電池３０Ａを指定した取引要求をサーバ装置１０に送信する。サーバ装置１０は取引要求を受信すると、蓄電池３０Ａを制御する制御装置２０Ａに取引要求を送信する。制御装置２０Ａは、蓄電池３０Ａを指定した取引要求をサーバ装置１０から受信すると、例えば、図３の管理画面に取引要求を受けた旨のメッセージを表示する。ユーザＡが取引要求に応じると、制御装置２０Ａからサーバ装置１０に取引応答が送られ、蓄電池の決済処理、データベースの更新処理、制御装置２０Ａ及び２０Ｂへの取引完了通知の送信等を含む取引処理が進められる。
【００５２】
上述した蓄電池検索システム１の動作例において、報知部２４及び入力部２５が表示デバイス及びタッチパネルである例を示したが、これらに限られない。報知部２４及び入力部２５はユーザへの情報の提供及びユーザからの情報の入力に用いられる任意の装置であってよい。例えば、報知部２４は音声を出力するためのスピーカであってもよい。また、入力部２５はユーザの音声を電気信号に変換するマイクであってもよい。この場合、制御装置２０は、マイクにてユーザの音声による入力操作を受け付け、検索結果をスピーカで出力する対話型サービスにより蓄電池の検索及び取引を実現してもよい。
【００５３】
図７を参照して、本開示の一実施形態に係る蓄電池検索システム１における処理の流れを説明する。例えば、制御装置２０Ａによりサーバ装置１０に対する蓄電池の登録が行われ、制御装置２０Ｂによりサーバ装置１０に対する蓄電池の検索が行われるものとする。
【００５４】
ステップＳ１０１：制御装置２０Ａは、制御対象である蓄電池３０Ａ及び３０Ｂの劣化状態を算出する。
【００５５】
ステップＳ１０２：制御装置２０Ａは、制御対象である蓄電池３０Ａ及び３０Ｂの劣化状態の登録要求をサーバ装置１０に送信する。
【００５６】
ステップＳ１０３：サーバ装置１０は、制御装置２０Ａから受信した蓄電池３０Ａ及び３０Ｂの劣化状態を含む蓄電池の情報をデータベースに記憶する。
【００５７】
ステップＳ１０４：サーバ装置１０は、蓄電池３０Ａ又は３０Ｂの劣化状態が所定の期間更新されない場合に、蓄電池３０Ａ又は３０Ｂの劣化状態の更新要求を制御装置２０Ａに送信する。
【００５８】
ステップＳ１０５：制御装置２０Ａは、制御対象である蓄電池３０Ａ及び３０Ｂの劣化状態の登録要求をサーバ装置１０に送信する。
【００５９】
ステップＳ１０６：サーバ装置１０は、制御装置２０Ａから受信した蓄電池３０Ａ及び３０Ｂの劣化状態でデータベースの蓄電池の情報を更新する。
【００６０】
ステップＳ１０７：制御装置２０Ｂは、制御対象である蓄電池３０Ｃ及び３０Ｄの劣化状態を算出する。
【００６１】
ステップＳ１０８：制御装置２０Ｂは、制御対象である蓄電池３０Ｃ及び３０Ｄの劣化状態に基づいて制御対象とする蓄電池の劣化状態の条件を判定する。
【００６２】
ステップＳ１０９：制御装置２０Ｂは、蓄電池の劣化状態の条件を含む、新たに制御対象とする蓄電池の検索要求をサーバ装置１０へ送信する。
【００６３】
ステップＳ１１０：サーバ装置１０は、制御装置２０Ｂから受信した検索要求に基づいてデータベースを検索する。
【００６４】
ステップＳ１１１：サーバ装置１０は、検索された蓄電池の情報を含む検索結果を制御装置２０Ｂに送信する。
【００６５】
ステップＳ１１２：制御装置２０Ｂは、サーバ装置１０から受信した蓄電池の情報を含む検索結果を報知する。
【００６６】
ステップＳ１１３：制御装置２０Ｂは、検索結果に含まれる蓄電池３０Ａを指定した取引要求をサーバ装置１０に送信する。
【００６７】
ステップＳ１１４：サーバ装置１０は、制御装置２０Ｂから蓄電池３０Ａを指定した取引要求を受信すると、蓄電池３０Ａを制御する制御装置２０Ａに当該取引要求を送信する。
【００６８】
ステップＳ１１５：制御装置２０Ａは、サーバ装置１０から受信した蓄電池３０Ａを指定した取引要求を報知する。
【００６９】
ステップＳ１１６：制御装置２０Ａは、蓄電池３０Ａを指定した取引要求に対する取引応答をサーバ装置１０に送信する。
【００７０】
ステップＳ１１７：サーバ装置１０は、取引応答を受信すると、蓄電池３０Ａの取引処理を実行する。
【００７１】
以上述べたように、本実施形態に係る蓄電池３０を制御可能な制御装置２０は、制御部２１と、通信部２２とを備える。制御部２１は、制御対象である蓄電池３０の劣化状態に基づいて蓄電池の劣化状態の条件を判定する。通信部２２は、蓄電池の劣化状態の条件を含む、新たに制御対象とする蓄電池の検索要求を情報処理装置であるサーバ装置１０へ送信し、検索要求に基づいて検索された蓄電池の情報を含む検索結果をサーバ装置１０から受信する。かかる構成によれば、既に制御装置２０が制御する他の蓄電池３０の劣化状態を考慮して、新たに制御対象とする蓄電池の情報が制御装置２０のユーザに提供される。これにより、新たな蓄電池を設置して制御装置２０の制御対象に加えた場合に、既に設置されている他の蓄電池３０との劣化状態又は性能等の違いにより、新たな蓄電池の蓄電容量等の性能が十分に発揮されない蓋然性が低下する。そのため、蓄電池を制御する技術の有用性が向上する。
【００７２】
本実施形態に係る制御装置２０は、制御対象である蓄電池３０の劣化状態を算出する。かかる構成によれば、新たに制御対象とする蓄電池の情報を検索する際に、ユーザによる既に制御装置２０が制御する蓄電池３０の劣化状態の測定及び算出を行う負担を軽減することができる。これにより、蓄電池を制御する技術の有用性が向上する。
【００７３】
本実施形態に係る制御装置２０により送信される検索要求には、蓄電池の蓄電容量の条件が含まれる。かかる構成によれば、検索要求を受信したサーバ装置１０は、複数の蓄電池を組み合わせることにより検索要求の蓄電容量の条件を満たす蓄電池をも検索の対象とすることができる。これにより、新たに制御対象とする蓄電池としてより多くの選択肢をユーザに提供することができ、蓄電池を制御する技術の有用性が向上する。
【００７４】
本実施形態に係る制御装置２０は、制御対象である蓄電池３０の劣化状態の登録要求を通信部２２からサーバ装置１０へ送信する。かかる構成によれば、制御装置２０は、新たに制御対象とする蓄電池の情報を検索するためだけでなく、不要となった制御装置２０の制御対象である蓄電池３０の情報を蓄電池の購入希望者等に提供するためにも用いることができる。これにより、使用済みの蓄電池の利活用を促進させ、蓄電池を制御する技術の有用性が向上する。
【００７５】
本実施形態に係る制御装置２０は、通信部２２において制御対象である蓄電池を指定した取引要求をサーバ装置１０から受信する。かかる構成によれば、制御装置２０は、制御対象である蓄電池３０の購入希望者がいることを制御装置２０のユーザに通知することができる。これにより、使用済みの蓄電池の利活用を促進させ、蓄電池を制御する技術の有用性が向上する。
【００７６】
本実施形態に係る制御装置２０は、サーバ装置１０から受信した情報を報知する報知部２４を更に備える。サーバ装置１０から受信した情報には、検索結果及び取引要求の少なくとも一方が含まれる。かかる構成によれば、サーバ装置１０により提供された情報が、制御装置２０の蓄電池３０の検索又は取引を希望するユーザに通知される。そのため、蓄電池を制御する技術の有用性が向上する。
【００７７】
本実施形態に係る制御装置２０は、サーバ装置１０から受信した情報を表示する表示部を更に備える。かかる構成によれば、サーバ装置１０により提供された情報が可視化され、制御装置２０のユーザに視覚的に報知される。そのため、蓄電池を制御する技術の有用性が向上する。
【００７８】
本実施形態に係る情報処理装置であるサーバ装置１０は、蓄電池を制御可能な制御装置と通信可能に接続される。サーバ装置１０は、第１の制御装置２０から、当該第１の制御装置２０の制御対象である蓄電池３０の劣化状態の登録要求を受信した場合、当該劣化状態を蓄電池の情報を含むデータベースに記憶する。サーバ装置１０は、第２の制御装置２０から蓄電池３０の劣化状態の条件を含む、新たに制御対象とする蓄電池の検索要求を受信すると、検索要求に基づいてデータベースを検索し、検索された蓄電池３０の情報を含む検索結果を第２の制御装置２０に送信する。かかる構成によれば、複数の制御装置２０において、それぞれのユーザが不要となった蓄電池３０及び新たに設置を希望する蓄電池３０の情報が共有され得る。これにより、蓄電池を制御する技術の有用性が向上する。
【００７９】
本実施形態に係るサーバ装置１０は、第２の制御装置２０から検索結果に含まれる蓄電池３０を指定した取引要求を受信すると、蓄電池３０を制御する制御装置２０に当該取引要求を送信する。かかる構成によれば、制御装置２０において、蓄電池３０の検索だけでなく、検索された蓄電池３０の取引が実施可能となる。これにより、蓄電池を制御する技術の有用性が向上する。
【００８０】
本開示を諸図面及び実施例に基づき説明してきたが、当業者であれば本開示に基づき種々の変形及び修正を行うことが容易であることに注意されたい。したがって、これらの変形及び修正は本開示の範囲に含まれることに留意されたい。例えば、各手段又は各ステップ等に含まれる構成又は機能等は論理的に矛盾しないように再配置可能であり、複数の手段又はステップ等を１つに組み合わせたり、或いは分割したりすることが可能である。
【００８１】
例えば、上述した本実施形態において、サーバ装置１０が、データベース１４を備える構成について説明したがこれに限られない。サーバ装置１０は、データベース１４を備えなくてもよい。この場合、データベース１４により実現される情報の記憶及び検索等の処理は、サーバ制御部１１及びサーバ記憶部１３を用いて実装されてもよい。
【００８２】
例えば、上述した本実施形態において、制御装置２０が実行する動作及び処理の一部又は全部を、サーバ装置１０が実行する構成であってもよい。同様に、サーバ装置１０が実行する動作の一部又は全部を、制御装置２０が実行する構成であってもよい。例えば、制御装置２０に表示される各種画面の表示制御等の処理は、サーバ装置１０により実行されてもよく、サーバ装置１０及び制御装置２０により協働して実行されてもよい。或いは、サーバ装置１０が実行する検索処理を制御装置２０が実行してもよい。かかる場合、サーバ装置１０は、それぞれの制御装置２０が所有する蓄電池３０の情報の収集及び提供のみを行ってもよい。
【００８３】
例えば、上述した本実施形態において、制御装置２０は、制御対象の蓄電池３０と共に需要家施設に設置さているが、この限りではない。例えば、制御装置２０は、インターネット等のネットワーク４０を介して、蓄電池３０と制御可能に接続されていてもよい。かかる場合、制御装置２０は、制御対象である蓄電池３０から遠隔地に設置されていてもよい。
【００８４】
例えば、上述した本実施形態において、サーバ装置１０又は制御装置２０の構成及び機能の少なくとも一部が、他の装置に実装されてもよい。例えば、通信部２２の構成及び機能の少なくとも一部が、制御装置２０に接続可能なインタフェースボードに実装されてもよい。また例えば、記憶部２３の構成及び機能の少なくとも一部が、制御装置２０に接続可能な外部記憶装置に実装されてもよい。また例えば、報知部２４の構成及び機能の少なくとも一部が、制御装置２０に接続可能な表示装置等に実装されてもよい。また例えば、入力部２５の構成及び機能の少なくとも一部が、制御装置２０に接続可能な入力装置等に実装されてもよい。
【００８５】
例えば、上述した本実施形態において、サーバ装置１０のデータベース１４に記憶される蓄電池の情報は上述した例に限られない。蓄電池の情報には、鉛蓄電池、ニッケル水素蓄電池、リチウムイオン電池、又はナトリウム硫黄電池等の蓄電池の種類を示す情報が含まれてもよい。また、蓄電池の情報には、正極材、負極材、及び電解質の情報が含まれてもよい。例えば、蓄電池がリチウムイオン電池の場合、正極材の情報としてリン酸鉄リチウム（LiFePO4）、マンガン酸リチウム（LiMn2O4）、ニッケル酸リチウム（LiNiO2）、コバルト酸リチウム（LiCoO2）、又は三元系（Li(Ni-Mn-Co)O2）等が登録され、負極材の情報として黒鉛（LiC6）、又はチタン酸リチウム（Li4Ti5O12）等が登録されてもよい。これらの情報により、詳細な蓄電池の電池特性を用いた、よりユーザに適した蓄電池の検索及び取引が実現され得る。
【００８６】
例えば、上述した本実施形態において、蓄電池の劣化の度合いを示す情報として蓄電池の劣化状態及びＳＯＨを用いる例を示したが、これに限られない。蓄電池の劣化の度合いを示す情報として、任意の情報が用いられてもよい。例えば、蓄電池の劣化の度合いを示す情報には、蓄電池の起電力、内部抵抗値、又は蓄電可能容量等が含まれていてもよい。これらの情報により、よりユーザに適した蓄電池の検索及び取引が実現され得る。
【００８７】
例えば、上述した本実施形態において、蓄電池の劣化状態に基づいて、蓄電池の情報の登録、蓄電池の検索要求に含まれる検索条件の作成、或いは蓄電池の検索等を含む、蓄電池検索システム１により提供される種々の処理が実施される例を示したが、これに限られない。蓄電池検索システム１により提供される種々の処理は、蓄電池に関する任意の情報に基づいて実施されてもよい。例えば、蓄電池に関する任意の情報には、蓄電池の劣化の度合いを示す情報、蓄電池の性能を示す情報、又は蓄電池の構成を示す情報等が含まれてもよい。これらの情報により、よりユーザに適した蓄電池の検索及び取引が実現され得る。
【符号の説明】
【００８８】
１    蓄電池検索システム
１０    サーバ装置（情報記憶装置）
１１    サーバ制御部
１２    サーバ通信部
１３    サーバ記憶部
１４    データベース
２０    制御装置
２１    制御部
２２    通信部
２３    記憶部
２４    報知部
２５    入力部
３０    蓄電池
４０    ネットワーク
【図１】
2019188816.tif 000003
【図２】
2019188816.tif 000004
【図３】
2019188816.tif 000005
【図４】
2019188816.tif 000006
【図５】
2019188816.tif 000007
【図６】
2019188816.tif 000008
【図７】
2019188816.tif 000009
【国際調査報告】
2019188816.tif 000010
2019188816.tif 000011